(57)【要約】      （修正有）【課題】目立った刺し傷を壁に付けることなく、壁への取付状態を長期に亘って安定的に保つことができるコーナラックを提供する。【解決手段】左右の壁ＷＬ，ＷＲの交わりの角部に着脱自在に取り付けられるコーナラックであって、左右の壁ＷＬ，ＷＲのそれぞれの壁面に接する左右の取付面６ａ，７ａを有するラック本体２を備え、このラック本体２の各取付面から垂直に突出されて壁ＷＬ，ＷＲに刺し込み可能な少なくとも２本の針２５を各取付面６ａ，７ａの長手方向に所定間隔をあけて配設するものとする。針を突出する針突出機構１０は、押込部材１１と左右のスライド部材１２，１３とを備え、押込部材１１をラック本体２の前側角部に向けて押し込んで駆動側傾斜面１６と従動側傾斜面２７とを摺動させることにより、左右のスライド部材１２，１３を左右方向に拡開して合計４本の針２５を取付面６ａ，７ａから突出する構成のものとする。【選択図】図２
0003192367.tif 000002
【実用新案登録請求の範囲】
【請求項１】
左右の壁の交わりの角部に着脱自在に取り付けられるコーナラックであって、
左右の壁のそれぞれの壁面に接する左右の取付面を有するラック本体を備え、このラック本体の各取付面から垂直に突出されて壁に刺し込み可能な少なくとも２本の針を各取付面の長手方向に所定間隔をあけて配設したことを特徴とするコーナラック。
【請求項２】
前記針を突出する針突出機構は、前記ラック本体の左右方向の中間部に該ラック本体の前側角部に向けて押込自在に配設される押込部材と、前記ラック本体の左右の側部に前記押込部材を挟むように配設され、前記針を突出位置へと移動自在に支持するスライド部材とを備え、
前記押込部材の左右両側面に該押込部材が押込方向に向かって先細るように駆動側傾斜面を形成するとともに、該駆動側傾斜面と係合する従動側傾斜面を左右の前記スライド部材に形成し、前記押込部材を前記ラック本体の前側角部に向けて押し込んで前記駆動側傾斜面と従動側傾斜面とを摺動させることにより、左右の前記スライド部材を左右方向に拡開して各スライド部材に支持された前記針を各取付面から突出するようにしたことを特徴とする請求項１に記載のコーナラック。
【請求項３】
前記ラック本体の前側角部に面取りを施した形状として、左右の壁への取付時に、それら壁の交わりの角部と該ラック本体の前側角部との間に隙間を形成するようにしたことを特徴とする請求項１または２に記載のコーナラック。
【考案の詳細な説明】
【技術分野】
【０００１】
本考案は、住宅や事務所の部屋、トイレ、風呂場等における隅角部に着脱自在に取り付けて使用されるコーナラックに関し、特に、ラック本体から突出される針を壁に刺し込むことによりワンタッチで取付可能なコーナラックに関するものである。
【背景技術】
【０００２】
従来、部屋等の隅角部の有効利用を図るために、左右の壁の交わりの角部に棚を取り付けることが行われており、棚を取り付ける方法としては、Ｌ字形金具等を用いて、棚を壁に釘付けしたり、ネジ締めしたりする方法が一般的である。
しかし、このような取付方法では、Ｌ字形金具等の別部材を用意する必要があり、しかも釘打ちやネジ締付の動作が伴うので取付作業が煩雑になるという問題があった。
【０００３】
このような問題を解決し得るものとして、Ｌ字形金具等の別部材を用いることなく、煩雑な取付作業が不要でワンタッチで取付可能なコーナシェルフが特許文献１にて提案されている。
【先行技術文献】
【特許文献】
【０００４】
【特許文献１】米国特許第５９９２６５４号明細書
【０００５】
図４に示されるように、特許文献１に係るコーナシェルフ１００は、三角形型のシェルフ本体１０１、スライド式の中央固定部材１０２、一対の取付アーム１０３，１０４、ガイド溝１０５を備えたベース部材１０６等によって構成されている。
中央固定部材１０２の先端には、部屋等の隅角部における左右の壁が交わる境界線上に刺し込み可能な針１０７が設けられている。また、中央固定部材１０２の一対のカム面１０８，１０９は、一対の取付アーム１０３，１０４のフォロア面１１０，１１１に係合するようにされており、中央固定部材１０２の押込動作により、一対の取付アーム１０３，１０４を左右に広げることができるようになっている。
そして、中央固定部材１０２の押込動作により、左右の壁が交わる境界線上に針１０７を刺し込むとともに、一対の取付アーム１０３，１０４を左右に広げてそれらアーム１０３，１０４に設けられた刃物状のブレード部材１１２を左右の壁面に刺し込んで、コーナシェルフ１００を部屋等の隅角部に固定するようにされている。
【０００６】
ところで、左右の壁が交わる境界部分は左右の壁の継目で強度が低い箇所であり、このような場所に針１０７を差し込んでも針１０７が壁にしっかりと保持されないことになり、使用が進むと、コーナシェルフ１００の先端側が落ち込むことになる。
【０００７】
このため、壁への取付状態を長期に亘って安定的に保つことができないという問題点がある。また、使用が進んでコーナシェルフ１００の先端側が落ち込むと、ブレード部材１１２が刃物状であるため、壁がブレード部材１１２で抉られて、ブレード部材１１２の刺し傷が広がり、目立った刺し傷が壁に付くことになり、壁の美感を損なうという問題点がある。
【考案の概要】
【考案が解決しようとする課題】
【０００８】
本考案は、前述のような問題点に鑑みてなされたもので、目立った刺し傷を壁に付けることなく、壁への取付状態を長期に亘って安定的に保つことができるコーナラックを提供することを目的とするものである。
【課題を解決するための手段】
【０００９】
前記目的を達成するために、本考案によるコーナラックは、
左右の壁の交わりの角部に着脱自在に取り付けられるコーナラックであって、
左右の壁のそれぞれの壁面に接する左右の取付面を有するラック本体を備え、このラック本体の各取付面から垂直に突出されて壁に刺し込み可能な少なくとも２本の針を各取付面の長手方向に所定間隔をあけて配設したことを特徴とするものである（第１考案）。
【００１０】
本考案において、前記針を突出する針突出機構は、前記ラック本体の左右方向の中間部に該ラック本体の前側角部に向けて押込自在に配設される押込部材と、前記ラック本体の左右の側部に前記押込部材を挟むように配設され、前記針を突出位置へと移動自在に支持するスライド部材とを備え、前記押込部材の左右両側面に該押込部材が押込方向に向かって先細るように駆動側傾斜面を形成するとともに、該駆動側傾斜面と係合する従動側傾斜面を左右の前記スライド部材に形成し、前記押込部材を前記ラック本体の前側角部に向けて押し込んで前記駆動側傾斜面と従動側傾斜面とを摺動させることにより、左右の前記スライド部材を左右方向に拡開して各スライド部材に支持された前記針を各取付面から突出するようにしたものであるのが好ましい（第２考案）。
【００１１】
本考案において、前記ラック本体の前側角部に面取りを施した形状として、左右の壁への取付時に、それら壁の交わりの角部と該ラック本体の前側角部との間に隙間を形成するのが好ましい（第３考案）。
【考案の効果】
【００１２】
本考案のコーナラックによれば、ラック本体の各取付面から垂直に突出されて壁に刺し込み可能な少なくとも２本の針が各取付面の長手方向に所定間隔をあけて配設されるので、目立った刺し傷を壁に付けることなく、壁への取付状態を長期に亘って安定的に保つことができる。
【００１３】
第２考案の構成を採用することにより、簡易な構造で各取付面から針を突出させることができる。
【００１４】
第３考案の構成を採用することにより、ラック本体上に置かれた例えばスピーカ等の電気機器の電源コードを、ラック本体の前側角部と左右の壁の交わりの角部との間の隙間を通して配線することができ、見た目にも美しいスマートな配線処理を行うことができる。
【図面の簡単な説明】
【００１５】
【図１】本考案の一実施形態に係るコーナラックを示す図で、（ａ）は取付状態の平面図、（ｂ）は取付状態の底面図である。
【図２】同コーナラックの針突出機構の構造説明図で、針をコーナラック本体内に引き込んだ状態図である。
【図３】同コーナラックの針突出機構の構造説明図で、針をコーナラック本体から突出した状態図である。
【図４】従来技術の説明図である。
【考案を実施するための形態】
【００１６】
次に、本考案によるコーナラックの具体的な実施の形態について、図面を参照しつつ説明する。
【００１７】
＜コーナラックの概略説明＞
図１（ａ）に示されるコーナラック１は、住宅や事務所の部屋、トイレ、風呂場等における隅角部に着脱自在に取り付けて使用されるものであって、置物等を置くことができるラック本体２を備えている。
【００１８】
図１（ａ）および（ｂ）に示されるように、ラック本体２は、主体部２ａと下蓋部２ｂとにより構成されている。
図１（ａ）に示されるように、主体部２ａは、左右の壁ＷＬ，ＷＲの交わりの角部に向かって先細の平面視で台形状の天板３を有している。天板３の前端縁および後端縁には、それぞれ前側板４および後側板５が鉛直下方に該天板３と直角をなすように一体的に連設されている。また、天板３の左側縁には、左側の壁ＷＬに接する取付面６ａを有する左側板６が、天板３の右側縁には、右側の壁ＷＲに接する取付面７ａを有する右側板７が、それぞれ鉛直下方に該天板３と直角をなすように一体的に連設されている。
図１（ｂ）に示されるように、下蓋部２ｂは、主体部２ａの開放面を下側から塞ぐことができる底面視で天板３と同様の先細の台形状の板材よりなり、図示されないビス等の締結具によって主体部２ａに着脱可能に取り付けられている。
ラック本体２においては、主体部２ａにおける天板３および各側板４〜７と下蓋部２ｂとによって囲まれる空間内に、後述する針突出機構１０の構成部品等が収容可能とされている。
【００１９】
＜針突出機構の説明＞
図２に示されるように、ラック本体２の内部には、針突出機構１０が組み込まれている。
針突出機構１０は、押込部材１１と、左右のスライド部材１２，１３とを備えている。
押込部材１１は、ラック本体２の左右方向の中間部において、当該押込部材１１を左右から挟むように設けられる一対のガイド壁部１４および天板３の下面に設けられるガイドレール部１５の案内により、ラック本体２の前側角部に対し直線的に移動自在に配設されている。一方、左右のスライド部材１２，１３は、ラック本体２の左右の側部に押込部材１１を挟むように配設されている。
【００２０】
＜押込部材の説明＞
押込部材１１は、ラック本体２の前側角部に向かう方向が押込方向とされており、該押込方向に向かって先細る楔形状を呈している。押込部材１１の左右には、押込方向側で鋭角（３０°〜４０°程度）に交わる一対の駆動側傾斜面１６が形成されている。押込部材１１の後部には、該押込部材１１を押し引き操作する際に手指で摘まむための摘み部１７が、図１（ｂ）に示される下蓋部２ｂに設けられた開口部１８を通して突設されている。
【００２１】
＜スライド部材の説明＞
図２に示されるように、左右のスライド部材１２，１３は左右に対称構造で基本的に同構造を呈しており、代表として左側のスライド部材１２について説明し、この説明をもって右側のスライド部材１３の説明を行ったものとする。
【００２２】
スライド部材１２は、ラック本体２の主体部２ａの左側板６に沿って延びる横棒部２１に、Ｔの字形状を呈するように縦棒部２２が一体的に形成されてなり、横棒部２１を左右から挟むように設けられる一対のガイド壁部２３ａ、縦棒部２２を左右から挟むように設けられる一対のガイド壁部２３ｂおよび天板３の下面に設けられるガイドレール部２４の案内により、左側板６に対して垂直をなす方向に直線的に移動自在とされている。
【００２３】
横棒部２１には、その長手方向に所定間隔をあけて２本（３本以上でも可）の針２５が植設され、これら針２５に対応するように針挿通孔２６が左側板６に設けられている。スライド部材１２は、左側板６の取付面６ａから針２５が突出しないようにラック本体２内に引き込んだ図２に示されるような針引込位置と、左の壁ＷＬに刺し込み可能に左側板６の取付面６ａから針挿通孔２６を通して針２５をその取付面６ａに対し垂直をなすように突出する図３に示されるような針突出位置との間で移動自在に針２５を支持する役目をする。
【００２４】
縦棒部２２の後端には、押込部材１１の左側に設けられた駆動側傾斜面１６と係合する従動側傾斜面２７が形成されている。また、縦棒部２２の前部には、針２５が壁ＷＬに刺し込まれた状態にあるスライド部材１２を引き操作する際に手指で摘まむための摘み部２８が、図１（ｂ）に示される下蓋部２ｂに設けられた開口部２９を通して突設されている。
【００２５】
＜部屋等の隅角部へのコーナラックの取付動作説明＞
以上に述べたように構成されるコーナラック１の部屋等の隅角部への取付は、部屋等の隅角部においてコーナラック１を取り付けようとする位置を定めてから以下のようにして行われる。
まず、図２に示されるように、ラック本体２内に針２５を引き込んだ状態のコーナラック１を取付位置に位置決めし、ラック本体２の左右の側板６，７の取付面６ａ，７ａを左右の壁ＷＬ，ＷＲに押し付ける。
この押付状態を保持しながら、図３に示されるように、押込部材１１をラック本体２の前側角部に向かって押し込み操作する。すると、駆動側傾斜面１６と従動側傾斜面２７との摺動により、左右のスライド部材１２，１３が左右方向に拡開され、各スライド部材１２，１３に支持された２本の針２５が、左右の各側板６，７の針挿通孔２６を通して各取付面６ａ，７ａから突出されて、左右それぞれの壁ＷＬ，ＷＲに刺し込まれ、合計４本の針２５が部屋等の隅角部の壁ＷＬ，ＷＲに刺し込まれる。
こうして、極めて簡単なワンタッチ操作でコーナラック１を部屋等の隅角部の所定位置に取り付けることができる。
なお、各スライド部材１２，１３に設けられた摘み部２８を摘んで該スライド部材１２，１３を引き操作することにより、壁ＷＬ，ＷＲに刺し込まれた針２５を引き抜くことができ、部屋等の隅角部からコーナラック１を容易に取り外すことができる。
【００２６】
＜作用効果の説明＞
本実施形態のコーナラック１によれば、ラック本体２の各取付面６ａ，７ａから垂直に突出されて壁ＷＬ，ＷＲに刺し込み可能な２本の針２５が各取付面６ａ，７ａの長手方向に所定間隔をあけて配設されるので、目立った刺し傷を壁に付けることなく、壁ＷＬ，ＷＲへの取付状態を長期に亘って安定的に保つことができる。
また、各取付面６ａ，７ａからの２本の針２５、つまり合計４本の針２５の左右の取付面６ａ，７ａからの突出は、押込部材１１と左右のスライド部材１２，１３とよりなる簡易な構造の針突出機構１０により達成することができ、構造の簡素化を図ることができる。
また、ラック本体２においては、その前側角部に面取りが施された形状とされるので、左右の壁ＷＬ，ＷＲへの取付時に、それら壁ＷＬ，ＷＲの交わりの角部と該ラック本体２の前側角部との間に隙間３０が形成され、ラック本体２上に置かれた例えばスピーカ等の電気機器の電源コードをその隙間３０を通して配線することができ、見た目にも美しいスマートな配線処理を行うことができる。
【００２７】
以上、本考案のコーナラックについて、一実施形態に基づいて説明したが、本考案は上記実施形態に記載した構成に限定されるものではなく、その趣旨を逸脱しない範囲において適宜その構成を変更することができるものである。
【産業上の利用可能性】
【００２８】
本考案のコーナラックは、目立った刺し傷を壁に付けることなく、壁への取付状態を長期に亘って安定的に保つことができるという特性を有していることから、部屋の隅角部にスピーカや置物等を載置する棚としての用途に好適に用いることができる。
【符号の説明】
【００２９】
１          コーナラック
２          ラック本体
６ａ，７ａ  取付面
１０        針突出機構
１１        押込部材
１２，１３  スライド部材
１６        駆動側傾斜面
２５        針
２７        従動側傾斜面
３０        隙間
ＷＬ，ＷＲ    壁
【図１】
0003192367.tif 000003
【図２】
0003192367.tif 000004
【図３】
0003192367.tif 000005
【図４】
0003192367.tif 000006